(57)【特許請求の範囲】
【請求項１】
クレープ加工ドクター（３）によってヤンキー胴から離れたところでクレープ加工されると共に一又は二以上の広げ手段（7,8）によって広げられる柔らかいクレープペーパーウェブ（１）の製造における、移動中のセルロース繊維材料ウェブの加工中に生じたダストを除去するための装置であって、真空源と連通状態にある内部吸引室（21）を備えていて、内部吸引室（21）と連通した吸引ギャップの形態の第１の入口（24）を有し、更に、本体部分（25）と、相互の間に前記吸引ギャップ（24）を構成する第１の部分（26）及び第２の部分（27）とを有する細長いハウジング（20）を含む第１のダスト吸引ボックス（18）を有する装置において、
本体部分（25）は、内部吸引室（21）内に湾曲した内側部（34）を形成するよう円筒形の一部として形成され、
吸引ギャップ（24）は、漸変絞り部を構成する内方へ先細になった外側部分（29）及び漸変拡大部を構成する内方へ末広がりになった内側部分（30）を有し、
外側部分（29）と内側部分（30）は、移行部（31）のところで互いに合体し、前記移行部は、吸引ギャップ（24）を通る空気の流れ方向で見て最小の広がりを有し、
第１の部分（26）は、内側部分（30）の側部の全体又は大部分を構成する平坦な表面（33）を有し、第２の部分（27）は、所定半径及び外側部分（29）の側部全体と内側部分（30）の最初の部分を構成するような弧長を有する湾曲面（36）と、湾曲面（36）から接線方向に延びると共に移行部（31）のところにおける湾曲面（36）の接線（38）と鋭角αをなす内側の平坦な表面（37）との両方から成ることを特徴とする装置。
【請求項２】
前記角度αは、２０〜５０°、好ましくは３０〜４０°であることを特徴とする請求項１記載の装置。
【請求項３】
第２の部分（27）の湾曲面（36）の曲率半径は、前記移行部（31）のところの吸引ギャップ（24）の間隔と同じか、これよりも大きいことを特徴とする請求項１又は２記載の装置。
【請求項４】
第１の部分（26）の平坦面（33）は、本体部分（25）の湾曲面（34）と接線方向に合体していることを特徴とする請求項１〜３のうち任意の一に記載の装置。
【請求項５】
前記平坦面（33）は、前記移行部（31）のところにおける第２の部分（27）の湾曲面（36）の接線（38）に平行であるか、又はこれと鋭角αをなすことを特徴とする請求項１〜４のうち任意の一に記載の装置。
【請求項６】
第１の部分（26）は、移行部（31）まで又はこれを越えて延びて絞り部だけでなく拡大部の最初の部分も構成する外側湾曲面（32）を有し、平坦面（33）は、外側湾曲面（32）と接線方向に合体していることを特徴とする請求項１〜５のうち任意の一に記載の装置。
【請求項７】
第１の部分（126）の平坦面（133）は更に、絞り部（129）の側部を構成していることを特徴とする請求項１〜５のうち任意の一に記載の装置。
【請求項８】
前記装置は、さらに、該装置をクレープ加工ドクター（３）のドクタービーム（６）に取り付ける取付け要素（19）を有し、ダスト吸引ボックス（18）は、クレープ加工されたペーパーウェブ（１）とクレープ加工ドクター（３）との間の空間内に落下するダストを除去するよう配置されていることを特徴とする請求項１〜７のうち任意の一に記載の装置。
【請求項９】
前記装置が、さらに、ペーパーウェブ（１）がその表面上を接触して走行させるようになった平坦面と、上流側及び下流側に位置した端部（65,66）とを備えたカバープレート（62）を有し、前記端部は、ペーパーウェブ（１）がカバープレート（62）の上流側縁部及び下流側縁部から自由な状態で走行するよう前記平坦面から遠ざかるよう曲げられ、ダスト吸引ボックス（18’）は、含じん空気を入口（24’）の外部の空間から引き込むためにその入口がカバープレート（62）のそばに位置した状態でカバープレートに固定されていることを特徴とする請求項１〜７のうち任意の一に記載の装置。
【請求項１０】
第１のダスト吸引ボックス（18’）と一致していて、第１のダスト吸引ボックス（18’）と鏡像関係をなしてカバープレート（62）に固定された第２のダスト吸引ボックス（18”）を有し、前記第１及び第２のダスト吸引ボックスの入口（24’，２４”）はそれぞれ、ペーパーウェブ（１）の走行方向から離れる方向及びこれに向かう方向に向いていることを特徴とする請求項９記載の装置。
【請求項１１】
カバープレート（62）は、ハウジングの第１の入口部分（26’，26”）を形成していることを特徴とする請求項９又は１０記載の装置。
【請求項１２】
前記装置が、さらに、ダスト吸引ボックス（118）が固定されている対称形シュー（８）の形態をしたウェブ広げ手段を有し、対称形シュー（８）は、同一平面において、中間部を上流側へ曲げられた状態の上流側の管（245）と、中間部を下流側へ曲げられた下流側の管（246）とを有し、
対称形シュー（８）は、前記管（245,246）を支持し、ペーパーウェブ（１）の走行方向の中間部でダスト吸引ボックスの本体部分（125）に接線方向において当たる底板（247）と、前記管（245,246）の外面に固定されていて、ペーパーウェブ（１）が摺動するようになった外面を有するアーチ状支持板（248）とを有し、
前記支持板は、傾斜した上流側部分（250）と、傾斜した下流側部分（251）と、これらの間の湾曲した頂部移行部とを有し、前記管（245,246）は、上流側部分及び下流側部分が前記頂部移行部から横方向に傾斜し、管（245,246）に固定された部分の横方向の勾配が最も大きくなっていることを特徴とする請求項１〜７のうち任意の一に記載の装置。
【請求項１３】
傾斜した上流側部分（250）と下流側部分（251）は、互いに１５０°〜１７０°の鈍角をなすことを特徴とする請求項１１記載の装置。
【請求項１４】
底板（247）の一部は、ハウジング（120）の第１の入口部分（126）を形成していることを特徴とする請求項１２又は１３記載の装置。
【請求項１５】
前記装置は、ペーパーウェブに対する広げシュー（８）の調整ができるよう回動自在且つ垂直方向運動自在に支承されていることを特徴とする請求項１２〜１４のうち任意の一に記載の装置。
【請求項１６】
前記装置は、さらに、第１（２）の入口（124）に関してハウジングの反対側で底板（247）の付近に設けられた吸引ギャップの形態の第２（２）の入口（224）を有する第２ダスト吸引ボックスを有し、
第２（２）の入口（224）は、幾つかの部分に分割され、該部分は各々、相互間に第２吸引ギャップ（224）を構成する第１（２）の入口部分（226）と第２（２）の入口部分（227）を有し、第２吸引ギャップ（224）は、漸変絞り部を構成する内方へ先細になった外側部分（229）及び漸変拡大部を構成する内方へ末広がりになった内側部分（230）を有し、外側部分（229）と内側部分（230）は、絞りが最大となる移行部（231）のところで互いに合体し、前記移行部は、第２吸引ギャップ（224）を通る空気の流れ方向で見て最小の広がりを有し、第２（２）の入口部分（226）は、拡大部（230）の側部の全体又は大部分を構成する平坦な表面（233）を有し、第２（２）の入口部分（227）は、所定半径及び絞り部（229）の側部と内側部分（230）を構成するような弧長を有する湾曲した表面（236）とを有することを特徴とする請求項１２〜１５のうち任意の一に記載の装置。
【請求項１７】
第２（２）の入口部分（227）の湾曲面（236）の曲率半径は、前記移行部（231）のところの第２吸引ギャップ（224）の間隔と同じか、これよりも大きいことを特徴とする請求項１６記載の装置。
【請求項１８】
前記装置は、さらに、広げバー（７）の付近のダスト除去装置を回動自在且つ垂直方向運動自在に支承する手段（340）と第３ダスト吸引ボックス（318）を有し、
第３ダスト吸引ボックス（318）は、第１（３）の入口（324）から所定の距離をおいて配置された第２（３）のギャップ状の入口（424）を有し、第１（３）の入口（324）は、広げバー（７）の下流側の空間から含じん空気を引き込むよう差し向けられ、第２（３）のギャップ状の入口（424）は、相互の間に第２（３）のギャップ状の入口（424）を構成する第１（３）の部分（426）と第２（３）の部分（427）を有し、第２（３）のギャップ状の入口（424）は、漸変絞り部を構成する内方へ先細になった外側部分（429）及び漸変拡大部を構成する内方へ末広がりになった内側部分（430）を有し、外側部分（429）と内側部分（430）は、絞りが最大となる移行部（431）のところで互いに合体し、前記移行部は、第２（３）のギャップ状の入口（424）を通る空気の流れ方向で見て最小の広がりを有し、第１（３）の部分（426）は、内側部分（430）の側部の全体又は大部分を構成する平坦な表面（433）を有し、第２（３）の部分（427）は、所定半径及ひ絞り部（429）の側部の全体及び拡大部（230）の最初の部分を構成するような弧長を有する湾曲した表面（436）と、湾曲面（436）から接線方向に延びると共に、移行部（431）のところにおける湾曲面（436）の接線（438）と鋭角αをなす内側の平坦な表面（437）との両方から成ることを特徴とする請求項１〜７のうち任意の一に記載の装置。
【請求項１９】
前記角度αは、２０°〜５０°、好ましくは３０°〜４０°であることを特徴とする請求項１８記載の装置。
【請求項２０】
第２（３）の入口部分（427）の湾曲面（436）の曲率半径は、前記移行部（431）のところの吸引ギャップ（424）の間隔と同じか、これよりも大きいことを特徴とする請求項１８又は１９記載の装置。
【請求項２１】
各入口の前記入口部分は、前記移行部のところの最大絞り部のサイズを調節できるよう互いに対して可動であることを特徴とする請求項１〜２０のうち任意の一に記載の装置。
【請求項２２】
最大絞り部のサイズは、１０〜３０mmの範囲の値、好ましくは0.5〜１インチ（12.7〜25.4mm）の範囲の値に調節可能であることを特徴とする請求項２１記載の装置。
【請求項２３】
第１（３）の入口（324）の最大絞り部のサイズは、０〜３０mmの範囲の値、好ましくは０〜１インチ（０〜25.4mm）の範囲の値に調節可能であり、第２（３）の入口（424）の最大絞り部のサイズは、１０〜３０mmの範囲の値、好ましくは0.5〜１インチ（12.7〜25.4mm）の範囲の値に調節可能であることを特徴とする請求項１８又は２１記載の装置。
【発明の詳細な説明】
本発明は、例えば印刷機における巻取紙（以下、「ペーパーウェブ」又は単に「ウェブ」ともいう）を裁断したり巻き直す機械や、例えばクレープ（縮みじわ）加工ドクターによってヤンキー胴から離れたところでクレープ加工されると共に一又は二以上の広げ手段によって広げられる柔らかいクレープペーパーウェブの製造における抄紙機のドライエンドで、移動中のセルロース繊維材料ウェブの加工中に生じたダストを除去するための装置であって、真空源と連通状態にある内部吸引室を備えていて、内部吸引室と連通した吸引ギャップの形態の第１の入口を有し、更に、本体部分と、相互の間に上記吸引ギャップを構成する第１の部分及び第２の部分とを有する細長いハウジングを含む第１のダスト吸引ボックスを有する装置に関する。
ヤンキー胴から柔らかいクレープ紙ウェブ、例えばティッシュウェブをクレープ加工する際、ウェブから繊維及び他の粒子の形態のダスト（「紙粉」と呼ばれることもある）が出る。このダストを除去するために、米国特許第４，０１９，９５３号では、ダストの生じる領域の下に収集容器を配置することが提案された。圧縮空気のジェットによりウェブの走行方向を横断して吸引される含じん空気を除去するために、圧縮空気管及び吸引管がこの収集容器に連結されている。通風方式によるダストの単なる吸引除去では距離が短いために作用効果が殆ど無いので圧縮空気を送り込み続ける必要がある。かかる装置は大きくて扱いにくく、しかもダスト発生領域の下に落下するダストのうち何割かを吸引するに過ぎないので比較的効率が悪い。最新のティッシュ製造機械は高速型、即ちほぼ２５ｍ／秒級のものなので、低坪量に起因して取扱いの難しい高速運動中のティッシュウェブの両側に沿って含じん空気の同伴現象が生じ、そのために不満足な結果となる。
ペーパーウェブの表面からのダストの発生は、例えばペーパーウェブの裁断及び再巻取り時の問題である。米国特許第３，７７５，８０６号（スウェーデン国特許第３１９，９６９号）は、ペーパーウェブ表面のダスト吸引装置を提案している。吸引装置に向かって引き込まれてこれに接触し、かくしてウェブを傷つけることの無いようにするために、空気を吸引と同時に吹き出す。したがって、このダスト吸引装置は、頂部が開口していて、矩形の吹出し管を包囲した状態でウェブを横切って延びる水平方向の板金溝形部材を有している。ウェブに向いた吹出し管の側部は、互いに遠ざかる方向に向いた開口部を有している。その目的は、空気ジェットを実質的にウェブと平行にウェブの走行方向と正逆両方向に差し向け、かくしてウェブとダスト吸引装置との間の距離を固定するためである。同一タイプの中間開口部を、空気ジェットをウェブの表面に差し向けるよう配置し、それによりこの表面からダストを吹き飛ばすことにより良好なダスト吸引効果を達成しても良い。供給された空気及び同伴されたダストは、吹出し管のの上流側及び下流側で、吹出し管とこの周りに設けられていて、空気吸込み手段の連結されている板金溝形部材との間に形成された２つのギャップを通してウェブに垂直方向に引き込まれる。ウェブの最も近くに位置した板金溝形部材の壁部分は、垂直方向上下に可動であり、それによりこれら壁部分は、送り込まれてダストを含有した空気が吸引ギャップの前を流れず、また、ウェブが壁部分と擦れて傷つくようにはならないような仕方で配置可能である。しかしながら、米国特許第３，７７５，８０６号による構成で達成されるダスト吸引効果は、高速で動いているペーパーウェブの周りの空気に同伴されるダストに関する現代的要件を満たしていない。さらに、この構成は、嵩張っていて購入費も高く、しかも吹込み技術が必要とする空気流量の多さに起因して運転費も高い。
米国特許第４，９０６，３３３号（スウェーデン国特許出願公告第４５９，１０５号）は、クレープ加工されたウェブの境界層中のダストを除去する装置を提案している。この装置は、ウェブの幅のフード及びフードを平らなカバープレートを有し、このカバープレートは、大気圧未満の圧力が生じている空間を画定すると共にカバープレートとフードの前側縁部のところの傾斜ストリップとの間に吸引ギャップを形成する状態でフードを閉鎖している。カバープレートは、クレープ加工ウェブのすぐ隣に位置していて、クレープ加工ウェブは、運搬中、カバープレートに密接した状態で保持され、吸引ギャップはダストを含有している境界層中に位置するするようになる。傾斜ストリップの下方部分は、吸引ギャップを構成し、それにより吸引ギャップの幅が空気の流れ方向に一定のままであるようにするためにカバープレートに平行な状態で上記空間の方へ向いている。このように構成された吸引ギャップは、稼働後、比較的短時間でダストで詰まりやすくなり、従ってこれを定期的にクリーニングしなければならない。もう一つの問題は、ウェブが前縁及び平らなカバープレートで傷つき、ウェブに破れが生じる場合があるということである。この問題は、ウェブが空気流によりカバープレートの前縁に向かって上方へ引き込まれるので一層深刻になる。フード内の上記空間は形状が不揃いであり、その幾つかのコーナー部及び縁部は空気流に悪影響を及ぼしてダストを含む空気の局所的な旋回又は渦が生じるようになり、出口に向かう空気の流量が次第に減少してダストが上記コーナー部及び縁部に沿って壁に沿って集まり、その結果、吸引作用が不良になって吸引ギャップがこの理由によってもダスト粒子で詰まりやすくなる。
しかしながら、吸引入口及び溝形部材が詰まるという問題は、動いている繊維材料のウェブを取り扱っている間に生じるダストを除去する公知の全ての装置に共通のありふれた問題である。吸引源の切離し時に、集まったダストを除去するために、空気を定期的にギャップを通して逆方向に送り込めるように実際の吸引溝形部材の内側にノズルを設けることが提案された。このような作動における中断は、ダストが間断なく生じていて、周囲中へ吹き出され、それにより作業環境を一段と悪化させるので望ましくない。
米国特許第５，４６６，２９８号は、垂直方向下方に差し向けられた吸引入口開口部に上流側湾曲面及び下流側湾曲面を備えたダスト吸引システムを開示している。加圧空気がウェブに差し向けられ、コアンダ効果により吸引入口開口部の下流側湾曲面に沿って流れる。
本発明の目的は、移動中の繊維材料ウェブの加工中に生じたダストを除去し、それにより作業員にとっての作業環境を向上させる改良型装置を提供することにある。
本発明の装置は、本体部分が、吸引室内に湾曲した内側部を形成するよう実質的に円筒体の一部として形成され、吸引ギャップが、漸変絞り部を構成する内方へ先細になった外側部分及び漸変拡大部を構成する内方へ末広がりになった内側部分を有し、外側部分と内側部分は、絞りが最大となる移行部のところで互いに合体し、移行部は、吸引ギャップを通る空気の流れ方向で見て最小の広がりを有し、第１の入口形成部分が、拡大部の側部の全体又は大部分を構成する平坦な表面を有し、第２の入口形成部分が、所定半径及び絞り部の側部全体と拡大部の最初の部分を構成するような弧長を有する湾曲した表面と、湾曲面から接線方向に延びると共に移行部のところにおける湾曲面の接線と鋭角αをなす内側の平坦な表面との両方から成ることを特徴としている。
本発明を添付の図面を参照して詳細に説明する。
図１は、柔らかいクレープ紙製造機械又は抄紙機におけるヤンキー胴と巻取り部との間に位置していて、本発明のダスト除去装置を備えた部分の概略側面図である。
図２は、本発明の第１の好ましい実施形態の装置の側面図である。
図３は、図２に示すIII−III線における矢視断面図である。
図４は、本発明の第２の好ましい実施形態の装置の側面図である。
図５は、図４に示すＶ−Ｖ線における矢視断面図である。
図６は、本発明の第３の好ましい実施形態の装置の側面図である。
図７は、図４に示すVII−VII線における矢視断面図である。
図８は、本発明の第４の好ましい実施形態の装置の断面図である。
図１に概略的に示す柔らかいクレープ紙の抄紙機のドライエンドでは、反時計回りに回転中のヤンキー胴２の外周面に付着している巻取紙又はペーパーウェブ１が、クレープ加工ドクター３に向かって下方へ案内される。ペーパーウェブ１は、ドクタービーム６から実質的に垂直方向上方に延びるホルダー５内に設けられたクレープ加工ブレード４によってヤンキー胴２から離れたところでクレープ加工され、即ちクレープ付けされる。クレープ加工されたペーパーウェブ１はクレープ加工ブレード４から斜め下へ走行し、弓形の湾曲ビームの形態をした第１の広げ手段７、以下に詳細に説明する第２の広げ手段８、カレンダー９、坪量スキャナー１０及び偏向ロール１１を通り、その後、巻取り部１２に到達する。図示の実施形態では、巻取り部１２は、支持シリンダ１３を備えたドラム巻取り部からなる。空の巻取りドラム１４が、支持シリンダ１３に当接するまで下降したばかりの状態にあり、それとは別に、柔らかいクレープ紙から成る完成されたばかりの巻取体１５が示されている。
ダストがクレープ加工中にペーパーウェブ１から生じ、このダストのうち何割かは、高速で動いているクレープ加工ペーパーウェブ１の各側の境界層中へ入り込み、他方、残りのダストは殆ど全部、ドクタービーム６に向かって落下することになる。含じん空気（ダストを含有した空気）もまた、ヤンキー胴を覆っているフードからペーパーウェブ１が出る時にこのフードから流出し、次にこのダストはペーパーウェブ上に落下する。空気の境界層及びペーパーウェブ１の両側の空間の空気中に含まれるダストの少なくともかなりの部分を除去するために、複数のダスト除去装置が、クレープ加工ドクターと坪量スキャナー１０との間に使用される。明確化のために、これらダスト除去装置は、前端部品を取り外した状態で示されている。
図２は、本発明の第１の実施形態の装置を側面から見た図であり、この装置は、柔らかいクレープペーパーウェブ１がヤンキー胴２から離れたところでクレープ加工された時に出るダストを除去するためにダスト吸引ボックス１８及び本装置をクレープ加工ドクター３のドクタービーム６の下方側部に取り付ける取付け要素１９を有している。ダスト吸引ボックス１８は、細長いハウジング２０を有し、このハウジングは、一端が点検ハッチ２２によって閉鎖され、他端が同軸状管ソケット２３及びホース（図示せず）によって吸引源（図示せず）と連通している内部吸引室２１（図３参照）を有している。ハウジング２０は、吸引室２１と直接連通した吸引ギャップの形態のペーパーウェブの幅の入口２４を有している。ハウジング２０の壁は、円筒体の一部の形態をした本体部分２５及び本体部分２５の各端部に接線方向に結合されている第１及び第２の部分２６，２７を有し、これら部分２６，２７の間には吸引ギャップの形態の上記入口２４が構成されている。湾曲し又は円筒体の円弧の形状をした表面３４が、本体部分２５の内側領域内に、即ち吸引室２１内に形成されている。点検ハッチ２８が、出口側端部の近傍でハウジングの下側に設けられている。
吸引ギャップ２４は、漸変絞り部を構成する内方へ先細になった外側部分２９と、漸変拡大部を構成する内方へ末広がりになった内側部分３０とから成り、部分２９，３０は移行部３１のところで互いに合体し、この移行部では、絞りが最大であり、そして吸引ギャップ２４を通る空気の流れ方向で見て広がりが最小になっている。
第１の入口形成部分２６は、所定半径の外側湾曲面又は円筒体の円弧の形をした表面３２及び本体部分２５の内側湾曲面３４と外側湾曲表面３２の両方と接線方向に合体する内側の平坦な表面３３を有し、後者の接点は、拡大部３０への移行部３１の近傍に位置している。
第２の入口形成部分２７は、第１の入口形成部分２６の外側湾曲面３２に接する平面内に位置した外側の平坦な表面３５及び所定半径の湾曲した又は円筒体の円弧の形をした表面３６を有し、外側平坦面３５は、湾曲面３６の接平面である。湾曲面３６は、絞り部２９の側部と拡大部３０の最初の部分及びこれらの間の実際の移行部３１を構成するような弧長を有している。第２の入口形成部分２７はまた、湾曲面３６から接線方向に延びると共に移行部３１のところにおける湾曲面３６の接線３８と鋭角αをなす内側の平坦な表面３７を有している。上記の角度αは２０°〜５０°、好ましくは３０°〜４０°である。最上の機能を達成するためには、第２の入口部分２７の湾曲面３６の半径は、移行部３１（絞り度最大）のところにおける吸引ギャップ２４の幅と同じか、これ以上であることが重要である。
図４には本発明の第２の実施形態の装置の側面が示されている。この装置は、上記の第２の広げ手段８及びこのウェブ広げ手段８の前後の空間中で旋回している空気中に存在するダストを除去するためのダスト吸引ボックス１１８を有している。この装置は、支承手段（図示せず）を有し、この支承手段によって、この装置は回動自在に且つ垂直方向に調整でき、したがって広げ手段８をクレープに対して調節することができる。ダスト吸引ボックスｌ１８は、細長いハウジング１２０を有し、このハウジングは、一端にホース（図示せず）を介して吸引源（図示せず）と連通する管ソケット１２３を備えた内部吸引室１２１を有している。ハウジング１２０は、両端が端部品１４０，１４１によって閉じられている。ハウジング１２０は、内部室１２１と直接連通した吸引ギャップの形態の第１のペーパーウェブの幅の入口１２４（図５参照）を有している。ハウジング１２０は、円筒体の一部の形態をした本体部分１２５及び本体部分１２５の各端部に接線方向に結合されている第１及び第２の部分１２６，１２７を有し、これら部分１２６，１２７の間には吸引ギャップの形態の上記入口１２４が構成されている。湾曲し又は円筒体の円弧の形状をした表面１３４が、本体部分１２５の内側領域内に、即ち吸引室１２１内に形成されている。
吸引ギャップ１２４は、漸変絞り部を構成する内方へ先細になった外側部分１２９と、漸変拡大部を構成する内方へ末広がりになった内側部分１３０とから成り、部分１２９，１３０は絞りが最大である移行部１３１のところで互いに合体し、この移行部は、吸引ギャップ１２４を通る空気の流れ方向で見て広がりが最小になっている。
第１の入口形成部分１２６は、本体部分１２５の内側湾曲面１３４と接線方向に合体する平坦な表面１３３を有している。
第２の入口形成部分１２７は、外側の平坦な表面１３５及び所定半径の湾曲した又は円筒体の円弧の形をした表面１３６を有し、外側平坦面１３５は、湾曲面１３６の接平面である。湾曲面１３６は、絞り部１２９の側部と拡大部１３０の最初の部分及びこれらの間の実際の移行部１３１を構成するような弧長を有している。さらに、第２の入口形成部分１２７は、湾曲面１３６から接線方向に延びると共に移行部１３１のところにおける湾曲面１３６の接線１３８と鋭角αをなす内側の平坦な表面１３７を有している。上記の角度αは２０°〜５０°、好ましくは３０°〜４０°である。最上の機能を達成するためには、第２の入口部分１２７の湾曲面１３６の半径は、移行部１３１（絞り度最大）のところにおける吸引ギャップ１２４の幅と同じか、これ以上であることが重要である。
ハウジング１２０はまた、ハウジングの壁に設けられた仕切り２５３によって分離された幾つかの部分に分けられる第２の入口２２４を備えている。入口のかかる部分は各々、第１及び第２の入口部分２２６，２２７を有し、これらの間には、吸引ギャップの形態をした入口２２４が構成されている。第２の入口部分２２７は、本体部分１２５にヒンジ留めされていて、本体部分１２５の描く円弧の外側に位置すると共に円筒体の円弧の形状をした壁２４０によって支持されている。
吸引ギャップ２２４は、漸変絞り部を構成する内方へ先細になった外側部分２２９と、漸変拡大部を構成する内方へ末広がりになった内側部分２３０とから成り、部分２２９，２３０は絞りが最大である移行部２３１のところで互いに合体し、この移行部は、吸引ギャップ２２４を通る空気の流れ方向で見て広がりが最小になっている。第１の入口形成部分２２６は、本体部分１２５の内側湾曲面１３４と接線方向に合体する平坦な表面２３３を有している。
第２の入口形成部分２２７は、外側の平坦な表面２３５及び所定半径の湾曲した又は円筒体の円弧の形をした表面２３６を有し、外側平坦面２３５は、湾曲面２３６の接平面である。湾曲面２３６は、絞り部２２９の側部と拡大部２３０の最初の部分及びこれらの間の実際の移行部２３１を構成するような弧長を有している。最上の機能を達成するためには、第２の入口部分２２７の湾曲面２３６の半径は、移行部２３１（絞り度最大）のところにおける吸引ギャップ２２４の幅と同じか、これ以上であることが重要である。
拡大部２３０の次には、本体部分１２５に設けられた開口部２４２で開口している横断面一定の入口チャンネル２４１が設けられており、この開口部２４２は、仕切り２５３によって軸方向に構成されている。入口チャンネル２４１は、入口部分２２６，２２７の内面２４３，２４４によって形成されている。
シューと呼ばれる上記広げ手段８は、上流側に位置した管２４５及び下流側に位置した管２４６を有している。これらの管は、従来型広げバー７と同様に弓形の状態に湾曲していて、互いに反対側に向いており、したがってこれらの間の最大距離は中間部のところであり、これらの間の最短距離はそれらの端のところであるようになる。またこれらの管は互いに対し、一方の管２４５の湾曲した中心線と交差する平面２４９が他方の管２４６の湾曲した中心線に交わるように差し向けられている。これら２本の管は、共通の平らで安定性のある底板２４７によって支持され、この底板２４７は、ダスト吸引ボックスの本体部分１２５に対して接線方向に位置した状態でこれに溶接されている。対称形の広げシュー８は、管２４５，２４６に溶接された上部アーチ状支持板２４８を更に有し、支持板２４８はかくして、管の各横断面で見て管と接線方向に結合状態になっている。アーチ状支持板は、上流側に位置した傾斜部分２５０と、下流側に位置した傾斜部分２５１と、これらの間に位置した湾曲頂部移行部２５２とを有している。管２４５，２４６は、上述したようにそれらの中心線に関して同一平面２４９内に位置しているので、ペーパーウェブの走行方向で見て傾斜した部分２５０，２51も又、中間部から外方へ縁部に向かって、即ち、管２４５，２４６の曲率に応じてペーパーウェブの走行方向に対して横方向に傾斜することになり、横方向の勾配は、管２４５，２４６のところで最も大きく、頂部移行部２５２の方向へ次第に０まで減少している。傾斜の度合いは適切には、支持板２５０，２５１が１50°〜１７０°の範囲の鈍角をなすようなものである。支持板の上方側部は、ペーパーウェブ１が走行する摺動面を形成している。ペーパーウェブは、その広げ状態が広げシュー８の幅に一致するペーパーウェブの走行方向に長い距離にわたって起こるので効果的に広げられる。
図５で分かるように、底板２４７の一部は、ハウジング１２０の第１の入口部分１２６を構成し、かくして入口部分は管２４６まで延長され、その湾曲面は、吸引ギャップ１２４に向かう空気の流れのプロセスに好ましい影響を及ぼす。第２の入口ギャップ２２４のところでは、第１の入口部分２２６は底板２４７から４５°の角度をなして延びている。
図６は、本発明の第３の実施形態による装置の側面図であり、この装置は、支承手段３４０及び従来型広げバー７の前後の空間中で旋回している空気からダストを除去するためのダスト吸引ボックス３１８を有している。なお、本装置は図１でわかるように従来型広げバー７の上方に設けられている。ダスト吸引ボックス３１８は、細長いハウジング３２０を有し、ハウジング３２０は、同軸状管ソケット３２３を介して吸引源（図示せず）と連通する内部吸引室３２１（図７参照）を有している。このハウジングは、両端が端部品３５０，３５１によって閉じられている。ハウジング３２０は、吸引室３２１と連通した吸引ギャップの形態のペーパーウェブ幅の第１の入口３２４を有している。ハウジング３２０は、実質的に円筒体の一部の形態をした本体部分３２５と、相互の間に上記の吸引ギャップ入口３２４を構成する第１及び第２の部分３２６，３２７を有している。湾曲し又は円筒体の円弧の形状をした表面３３４ａ，３３４ｂが、本体部分３25の内側領域内に、即ち吸引室３２１内に形成されている。
吸引ギャップ３２４は、漸変絞り部を構成する内方へ先細になった外側部分３２９と、漸変拡大部を構成する内方へ末広がりになった内側部分３３０とから成り、部分３２９，３３０は移行部３３１のところで互いに合体し、この移行部は、吸引ギャップ３２４を通る空気の流れ方向で見て広がりが最小になっている。
第１の入口形成部分３２６は、補強管３４２及びこれとは別個であって、自由内縁部３４４を備えた内側板３４３を有している。入口部分３２６は、所定半径を有していて、湾曲した又は円筒体の円弧の形をした外側の表面３３２及び同軸状管ソケット３２３及び外側湾曲面３３２と接線方向に合体した内側の平坦な表面３３３を有している。
第２の入口形成部分３２７は、本体部分３２５にヒンジ留めされていて、入口形成部分３２７が点検ハッチとしても機能でき、それにより開放位置にある吸引室３２１に接近できるようにする部分３４１を有している。図７で理解できるように、入口部分３２７は、外側の平坦な表面３３５及び所定半径の湾曲し又は円筒体の円弧の形をした表面３３６を有し、外側平坦面３３５は、湾曲面３３６の接平面である。湾曲面３３６は、絞り部３２９の側部と拡大部３３０の最初の部分及びこれらの間の実際の移行部３３１を構成するような弧長を有している。さらに、第２の入口形成部分３２７は、湾曲面３３６から接線方向に延びると共に移行部３３１のところにおける湾曲面３３６の接線３３８と鋭角αをなす内側の平坦な表面３３７を有している。上記の角度αは２０°〜５０°、好ましくは３０°〜４０°である。最上の機能を達成するためには、第２の入口部分３２７の湾曲面３３６の半径は、移行部３３１（絞り度最大）のところにおける吸引ギャップ３２４の幅と同じかこれ以上であることが重要である。
ハウジング３２０は更に、第２の入口４２４を備えている。この目的のため、ハウジングは、追加の組をなす第１及び第２の部分４２６，４２７を備え、これら部分の間には、吸引ギャップの形態の入口４２４が構成されている。第１の入口部分４２６は、上述の内側板３４３の内縁部３４４に固定され且つ上述の補強管３４２に固定されたプロファイル板４４０で形成されている。第２の入口部分４２７は、本体部分３２５にヒンジ留めされていて、入口部分４２７が開放位置にあるときに吸引室３２１に接近できるようにする点検ハッチとしての役目も果たすことができるようにする部分４４１を有している。
上記の支承手段３４０は、シャフト延長部３４５と、シャフト延長部としての役目も果たす上記の管ソケット３２３とから成る。シャフト延長部３４５，３23は、ホルダ３４７を介してスタンド３４６上に載っている。本装置は、第１のネジ要素３４８により拡げバー７に対する入口２２４，３２４の角度に関して所望の作動位置に固定される。本装置は、第２のネジ要素３４９により拡げバー７の上方の高さ位置に関して所望の作動位置に設定される。
図８は、図２のものと実質的に同一の設計の２つの吸引ボックス１８′，１８″を有する本発明の第４の実施形態による装置の断面図であり、異なるのは、第１の入口部分２６′，２６″の設計において、外側湾曲面３２及び内側平坦面３３がそれぞれ、本体部分１２５′，１２５″の内側湾曲面１３４′，１３４″と合体すると共に絞り部２９′，２９″の側部及び拡大部３０′，３０″を構成する平坦な表面６０，６１で置き換えられている点である。この装置は又、ダスト吸引ボックスが互いに距離を置くと共に入口２４′，２４″が互いに反対方向に向くように鏡像関係をなして固定された無孔ウェブ幅カバープレート６２を有している。傾斜補強板６３，６４はそれぞれダスト吸引ボックス及びカバープレート６２に固定されている。カバープレート６２は、上流側及び下流側に位置したその端部６５，６６を除き、平坦であり、これら端部はペーパーウェブ１から遠ざかるよう曲げられると共に各入口の外部に位置している。各端部６５，６６の内側にあるカバープレート６２の部分は、内側側部に上記の平坦面６０，６１を備えるハウジングの第１の入口部分２６′，２６″を形成している。各ダスト吸引ボックスは、入口から或る距離を置いてハウジングの本体部分に設けられていて、吸引源（図示せず）と連通している２つの管ソケット６７，６８を有している。管ソケット６７，６８は、図２の端部出口６５，６６に代わるものである。曲げ状態の端部６５，６６を下流側及び上流側に配置することにより、ペーパーウェブはカバープレート６２の縁部に接触することがない。これは、ペーパーウェブが本装置に到達し、これを両方の場合においてカバープレート６２の平面と僅かな角度をなす走行状態のままである場合、特に重要である。符号５９は、各吸引室２１′，２１″の端部のうち一方を閉鎖する端板である。
入口部分は好ましくは、上述の入口のうち任意のところに配置されていて、特定の作動状態毎に応じて上記移行部のところの最大絞りサイズを１０〜３０mm内で、好ましくは0.5〜１インチ（１２．７〜２５．４mm）内で適切に調節するために互いに可動である。図７の実施形態において下流側に位置した吸引ギャップ３24も又、完全に閉鎖するよう構成しても良い。全ての場合において、例えば第１の入口部分２６が固定されている状態では変位させて所望位置に係止できるのは第２の入口部分２７であることが好ましい。
ダスト吸引ボックスを本発明にしたがって設計すると、作動上の信頼性を高めると共に作業環境を向上させた状態でダストを効率的に除去できる。含じん空気の通る通路の幾何学的形状を上記のように設定すると、壁へのダストの付着の恐れは公知構成の場合よりも相当小さくなる。ダストをペーパーウェブの周りの領域から除去する点において価値ある改良は、以下の幾つかの特徴を組み合わせることにより達成される。一つの特徴は、当初の絞り部で空気の速度を次第に増し、この速度が次に位置する空気の拡大部に至る最大絞り部の短い移行部で最大に達するようにする吸引ギャップの設計にあり、かくしてダストは吸引ギャップを増速状態で通ってゆく空気に同伴されるようになる。したがって、ダストが壁に付着するようになるほどの時間的余裕はない。もう一つの特徴は、絞り部の湾曲面にある。空気は薄い層を形成した状態でこれら湾曲面に沿って流れようとし、その結果、この空気層の外側の空気よりも高速状態となり、従ってダスト粒子は湾曲面に付着するには時間が短すぎるようになる。さらにもう一つの特徴は、吸引室の円筒形内面により空気がこれに向かって案内され、螺旋又は回転パターンをなして一又は二以上の出口に向かうようになり、この場合、ダスト粒子が壁に付着するほどの時間をダスト粒子に与える場合のある局所的旋回流形成の妨害を生じさせることがないということである。
また、ダスト吸引ボックスを設計するための本発明の原理をヤンキー胴と巻取り部との間の種々の箇所に据えつけられる全てのダスト吸引ボックスに利用できることは重要な利点である。
本発明を、ヤンキー胴を離れたところでクレープ加工される柔らかいクレープペーパーウェブの製造中に生じたダストの除去と関連して説明したが、当然のことながら、本発明は、例えば、ペーパーウェブを断裁して巻き直す機械、印刷機、具体的に上記した形式以外の形式の抄紙機のドライエンドにおいてダストが種々の加工中に生じるような他の運動中の繊維材料ウェブに使用可能である。
【図１】
0004001351.tif 000002
【図２】
0004001351.tif 000003
【図３】
0004001351.tif 000004
【図４】
0004001351.tif 000005
【図５】
0004001351.tif 000006
【図６】
0004001351.tif 000007
【図７】
0004001351.tif 000008
【図８】
0004001351.tif 000009